(57)【特許請求の範囲】
【請求項１】
目地部を介して設けられた高さの異なる左右の建物の躯体の内の
低い方の建物の躯体の目地部側の上面に、反目地部側の上面が下部に位置する傾斜面となるように取付けられた水切カバーと、前記左右の建物の躯体の内の低い
方の建物の躯体の上面より上部位置の高い方の建物の躯体の外壁面に取付けられ
た前記目地部および前記水切カバーを覆う目地カバーと、この目地カバーの先端
部に取付けられた、該目地カバーの先端部と前記水切カバーとの間より内部への
水や風の侵入を阻止する第１の防水手段と、前記目地カバーの先端部の内側部位
に一端部が取付けられ、他端部が前記水切カバーの目地部側端部寄りに位置する防水シート、この防水シートの目地部側端部寄りの部位に取付けられた該防水シートを前記水切カバーに密着させる棒状の重り、前記防水シートの目地部側端部に取付けられた、該防水シートを常時目地部側へ付勢する重りやコイルスプリングが使用された防水シート付勢機構とからなる第２の防水手段とからなることを特徴とする目地カバー装置。
【請求項２】
第１の防水手段は弾性を有するゴムあるいは合成樹脂材で形成された防水シートであることを特徴とする請求項１記載の目地カバー装置。
【請求項３】
第２の防水手段の防水カバーはゴムあるいは合成樹脂材で形成されたものが使用され、防水シート付勢機構は防水シートに所定間隔で取付けられた複数個のワイヤーにそれぞれ取付けられたスプリングで構成されたものであることを特徴とする請求項１記載の目地カバー装置。
【発明の詳細な説明】
【技術分野】
【０００１】
本発明は目地部を介して設けられた上下部の躯体間を覆い、目地部内へ水や風が侵入するのを阻止する目地カバー装置に関する。
【背景技術】
【０００２】
従来、この種の目地カバー装置は目地部を介して隣接する建物の低い方の建物の目地部側のパラペットの上面に所定間隔で固定された複数個の取付金具と、この複数個の取付金具に固定された外側部が上方に位置する傾斜面の上面を有するパラペットの上面を覆う水切カバーと、この水切カバーの上部に先端部が位置するように、前記高い方の建物の目地部側の壁面に所定間隔で上下方向に回動するように取付けられた複数個の目地カバー取付金具と、この複数個の目地カバー取付金具の先端部寄りの部位に形成された、地震等によって前記目地部の寸法が伸縮する方向に長い長孔と、前記複数個の目地カバー取付金具の長孔に挿入され、該目地カバー取付金具の前後左右方向の移動を吸収できるように支持する、前記水切カバーあるいは前記複数個の取付金具に取付けられた支持金具と、前記複数個の目地カバー取付金具に固定された前記目地部を覆う目地カバーと、この目地カバーの先端部と前記水切カバーの外側部との間を伸縮可能に覆うシートとで構成されている。
このように構成された目地カバー装置は目地部内への風や水の侵入を阻止することができるが、大きな寸法の防水シートを用いるため、コスト高になるとともに、建物が地震で揺れ動くと大きな寸法の防水シートがパラペットの内側へ垂れ下がり、見苦しくなったり、水切プレート上へ防水シートを戻したりする補修作業が必要になるという欠点があった。
【先行技術文献】
【特許文献】
【０００３】
【特許文献１】特許第３１６０５５９号公報
【発明の概要】
【発明が解決しようとする課題】
【０００４】
本発明は以上のような従来の欠点に鑑み、目地部内への風や水が侵入するのを確実に阻止することができるとともに、地震で左右の建物が揺れ動いても、その揺れ動きが停止すると元の状態へ自動的に戻り、補修作業が不要で、かつ構造が簡単で、容易に設置することができる目地カバー装置を提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明は目地部を介して設けられた高さの異なる左右の建物の躯体の内の
低い方の建物の躯体の目地部側の上面に、反目地部側の上面が下部に位置する傾斜面となるように取付けられた水切カバーと、前記左右の建物の躯体の内の低い
方の建物の躯体の上面より上部位置の高い方の建物の躯体の外壁面に取付けられ
た前記目地部および前記水切カバーを覆う目地カバーと、この目地カバーの先端
部に取付けられた、該目地カバーの先端部と前記水切カバーとの間より内部への
水や風の侵入を阻止する第１の防水手段と、前記目地カバーの先端部の内側部位
に一端部が取付けられ、他端部が前記水切カバーの目地部側端部寄りに位置する防水シート、この防水シートの目地部側端部寄りの部位に取付けられた該防水シートを前記水切カバーに密着させる棒状の重り、前記防水シートの目地部側端部に取付けられた、該防水シートを常時目地部側へ付勢する重りやコイルスプリングが使用された防水シート付勢機構とからなる第２の防水手段とで目地カバー装置を構成している。
【発明の効果】
【０００８】
以上の説明から明らかなように、本発明にあっては次に列挙する効果が得られる。
（１）請求項１により、第１の防水手段と第２の防水手段とで、高さの異なる左右の建物の躯体間の目地部内に水や風が侵入するのを確実に防止することができる。
（２）前記（１）により、第１の防水手段と第２の防水手段とで、地震で左右の建物が異なる方向に揺れ動いても、その揺れ動きを吸収し、停止すると元の状態へ自動的に戻すことができる。
【０００９】
したがって、見苦しくなったり、補修作業が不要で、維持コストの低減を図ることができる。
（３）前記（１）により、第２の防水手段の防水シートを棒状の重りで水切カバーに密着させるので、確実に水や風の目地部への侵入を阻止することができる。
（４）前記（１）により、第２の防水手段の防水シートを棒状の重りで水切カバーに密着させるとともに、重りが取付けられた部位の防水シートを目地部方向に常時付勢する防水シート付勢機構で付勢しているので、地震で目地部が狭くなり防水シートに遊びが生じても、その揺れ動きが停止すると、また元の状態に戻るため、第１の防水手段より低い方の建物内へ突出したりする不具合を確実に防止することができる。
（５）請求項２、３も前記（１）〜（４）と同様な効果が得られるとともに、
【図面の簡単な説明】
【００１０】
【図１】本発明を実施するための第１の形態の使用状態の平面図。
【図２】図１の２−２線に沿う断面図。
【図３】本発明を実施するための第１の形態の正面図。
【図４】図１の４−４線に沿う断面図。
【図５】本発明を実施するための第１の形態の水切カバーの説明図。
【図６】本発明を実施するための第１の形態の目地部が広くなった場合の動作説明図。
【図７】本発明を実施するための第１の形態の目地部が狭くなった場合の動作説明図。
【図８】本発明を実施するための第２の形態の平面図。
【図９】図８の９−９線に沿う断面図。
【図１０】図８の１０−１０線に沿う断面図。
【図１１】本発明を実施するための第３の形態の平面図。
【図１２】図１１の１２−１２線に沿う断面図。
【図１３】図１１の１３−１３線に沿う断面図。
【発明を実施するための形態】
【００１１】
以下、図面に示す本発明を実施するための形態により、本発明を詳細に説明する。
【００１２】
図１ないし図７に示す本発明を実施するための第１の形態において、１は目地部２を介して設けられた高さの異なる建物の躯体３、３Ａの低い方の建物の躯体３の上部と高い方の建物の躯体３Ａの外壁面３ａとの間の目地部を覆う本発明の目地カバー装置で、この目地カバー装置１は前記低い方の建物の躯体３の目地部側のパラペット４の上面に、反目地部側の上面が下部に位置する傾斜面５となるように取付金具６、７で取付けられた水切カバー８と、前記左右の建物の躯体３、３Ａの内の低い方の建物の躯体３の上面より上部位置の高い方の建物の躯体３Ａの外壁面３ａに固定状態で取付けられた、前記目地部２および前記水切カバー８を覆う目地カバー９と、この目地カバー９の先端部に取付けられた該目地カバー９の先端部と前記水切カバー８との間より内部へ水や風の侵入を阻止する第１の防水手段１０と、前記目地カバー９の先端部の内側部位に一端部が取付具１１で密封状態に取付けられ、他端部が前記水切カバー８の目地部側端部寄りに位置するゴムシートや合成樹脂材シート等の防水シート１２、この防水シート１２の目地部側端部寄りの部位に取付けられた、該防水シート１２を前記水切カバー８に密着させる棒状の重り１３、前記防水シート１２の目地部側端部に取付けられた、該防水シート１２を常時目地部側へ付勢する防水シート付勢機構１４とからなる第２の防水手段１５とで構成されている。
【００１３】
なお、当然ながら目地カバー９の両端部にはカバープレート１６や壁用目地装置１７が設置されている。
【００１４】
このカバープレート１６や壁用目地装置１７は目地部２内に水や風が入り込まない構造のものであれば、どんな構造のものであってもよい。
【００１５】
前記水切カバー８は図５に示すように、板状の水切カバー本体１８と、この水切カバー本体１８の目地部側の端部より上方へ突出するように形成された支持板１９と、前記水切カバー本体１８の反目地部側の端部より下方へ突出する下部板２０、この下部板２０の下端部より前記パラペット４の内壁４ａとシール剤２１で密閉できるように取付けられるシール剤収納凹部２２が形成された底部板２３とからなる水切部２４とからなり、上面の高さが異なり、前記水切カバー本体１８が傾斜面５で、パラペット４の上面に取付けられるハット形鋼形状の取付金具６、７を用いて取付けられている。
【００１６】
前記目地カバー９は前記高い方の建物の躯体３Ａの外壁面３ａに所定間隔で後端部がアンカーボルト２５等で固定された先端部が前記水切カバー８の水切部２４上に位置する上面が、先端部側が下方に位置する傾斜面２６に形成された複数個の支持金具２７と、この複数個の支持金具２７を覆うように、該複数個の支持金具２７に複数本のビス２８等で固定されるとともに、前記高い方の建物の躯体３Ａの外壁面３ａに形成されたシール剤２１で覆われる取付凹部２９内で複数本のアンカーボルト２５等で固定される目地カバー本体３０とで構成されている。
【００１７】
前記第１の防水手段１０は前記目地カバー９の目地カバー本体３０の先端部の垂直板３１の下端部に上端部が密封状態となるように取付具１１で取付けられ、下端部が前記水切カバー８の水切部２４の下部板２０に弾性状態で密着する弾性を有するゴムあるいは合成樹脂材製の防水シート３２で構成されている。
【００１８】
前記第２の防水手段１５の防水シート付勢機構１４は前記水切カバー８の支持板１９の上部より上方へ突出するように所定間隔で取付けられた複数個のローラー３３と、この複数個のローラー３３を通過するように前記防水シート１２の目地部側端部あるいは前記重り１３に取付けられた複数個のワイヤー３４と、この複数個のワイヤー３４の下端部にそれぞれ取付けられた、前記防水シート１２あるいは重り１３を常時目地部方向に付勢する複数個の重り３５と、前記複数個のワイヤー３４をガイドできるように前記低い方の建物の目地部側躯体３に取付けられた複数個のガイド部材３６とで構成されている。
【００１９】
上記構成の目地カバー装置１は、通常時には図１、図２に示すように、第１の防水手段１０は目地カバー本体３０に密封状態で取付けられた防水シート３２が水切カバー８の水切部２４に弾性状態で密着して、目地部２内へ水や風が侵入するのを阻止するとともに、この部分より水や風が侵入したとしても、第２の防水手段１５の重り１３で水切カバー８に押し圧されている防水シート１２で、その侵入を阻止する。
【００２０】
また、第２の防水手段１５の防水シート１２は防水シート付勢機構１４で目地部２側へ付勢され、かつ該目地部側に防水シート１２に取付けられた重り１３が位置するため、該重り１３部分で完全に水や風の侵入を阻止する。
【００２１】
地震で左右の建物の躯体３、３Ａが揺れ動き、目地部２が広くなると、図６に示すように第１の防水手段１０の防水シート３２が撓んで水切カバー８上をスライド移動して密封状態を保つとともに、第２の防水手段１５の防水シート１２は目地カバー本体１８の垂直板３１によって目地方向に押されるため、たたまれて収納された状態となって、その揺れ動きを吸収する。
【００２２】
地震で左右の建物の躯体３、３Ａが揺れ動き、目地部２が狭くなると、図７に示すように第１の防水手段１０の防水シート３２が水切カバー８の水切部２４と離れるように移動し、第１の防水手段１０は機能しなくなるが、第２の防水手段１５の防水シート１２が防水シート付勢機構１４の付勢力に抗して外方へ引き出されるが、重り１３が水切カバー８上をスライド移動して水切カバー８との密着状態を保つので、目地部２への水や風の侵入を阻止することができる。
【００２３】
なお、揺れ動きが停止すると、防水シート付勢機構１４によって重り１３が目地部２側、すなわち目地部側の防水シート１２が目地部側へ移動し、元の状態へ自動的に戻る。
[発明を実施するための異なる形態]
次に、図８ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図８ないし図１０に示す本発明を実施するための第２の形態において、前記本発明を実施するための第１の形態と主に異なる点は、重り１３あるいは防水シート１２を常時目地部２方向へ付勢できるようにコイルスプリング３７を介装したワイヤー３４を低い方の建物の目地部側躯体３に固定した固定ピン３８に取付けた防水シート付勢機構１４Ａを使用した第２の防水手段１５Ａを用いた点で、このような防水シート付勢機構１４Ａを使用した第２の防水手段１５Ａを用いた目地カバー装置１Ａにしても、前記本発明を実施するための第１の形態と同様な作用効果が得られる。
【００２５】
図１１ないし図１３に示す本発明を実施するための第３の形態において、前記本発明を実施するための第１の形態と主に異なる点は、ワイヤー３４を巻き取る巻き取り装置３９を低い方の建物の目地部側躯体３に取付けた防水シート付勢機構１４Ｂを使用した第２の防水手段１５Ｂを用いた点で、このような防水シート付勢機構１４Ｂを使用した第２の防止手段１５Ｂを用いて構成した目地カバー装置１Ｂにしても、前記本発明を実施するための第１の形態と同様な作用効果が得られる。
【００２６】
なお、前記各実施の形態で使用した棒状の重り１３に水切カバー８に吸着される磁性材料を用いて形成したものや、全面あるいは所定間隔で、かつ外周部が平坦となるように磁石板を固定したものを用いてもよい。
【００２７】
また、第２の防水手段１５の防水シート付勢機構１４Ｂの巻き取り装置３９は水切カバー８の支持板１９あるいは支持板１９近傍部位の低い方の建物の目地部側躯体３に取付けてもよい。
【産業上の利用可能性】
【００２８】
本発明は高さの異なる左右の建物間の上部目地部を覆う目地カバー装置を製造する産業で利用される。
【符号の説明】
【００２９】
１、１Ａ、１Ｂ：目地カバー装置、
２：目地部、        ３：低い方の建物の躯体、
３Ａ：高い方の建物の躯体、  ３ａ：外壁面、
４：パラペット、      ５：傾斜面、  
６、７：取付金具、      ８：水切カバー、
９：目地カバー、      １０：第１の防水手段、
１１：取付具、      １２：防水シート、
１３：重り、
１４、１４Ａ、１４Ｂ：防水シート付勢機構、
１５、１５Ａ、１５Ｂ：第２の防水手段、
１６：カバープレート、    １７：壁用目地装置、
１８：水切カバー本体、    １９：支持板、
２０：下部板、      ２１：シール剤、
２２：シール剤収納凹部、    ２３：底部材、
２４：水切部、      ２５：アンカーボルト、
２６：傾斜面、      ２７：支持金具、
２８：ビス、        ２９：取付凹部、
３０：目地カバー本体、    ３１：垂直板、
３２：防止シート、      ３３：ローラー、
３４：ワイヤー、      ３５：重り、
３６：ガイド部材、      ３７：コイルスプリング、
３８：固定ピン、      ３９：巻き取り装置。
【図１】
0005616249.tif 000002
【図２】
0005616249.tif 000003
【図３】
0005616249.tif 000004
【図４】
0005616249.tif 000005
【図５】
0005616249.tif 000006
【図６】
0005616249.tif 000007
【図７】
0005616249.tif 000008
【図８】
0005616249.tif 000009
【図９】
0005616249.tif 000010
【図１０】
0005616249.tif 000011
【図１１】
0005616249.tif 000012
【図１２】
0005616249.tif 000013
【図１３】
0005616249.tif 000014